(57)【要約】【課題】  ワンタッチで瞬時にして伸長することができ、伸長した場合に段差のない強度の高い折り畳み式携帯棒を提供すること。【解決手段】  折り畳み式携帯棒Ｂを、二つの筒状体２，４と、一方の筒状体２の内部に摺動自在に収容された摺動軸と、二つの筒状体２，４を連結するための連結部材と、摺動軸の一端に取り付けられた係止部材と、係止部材を保持するための被係止部材と、係止部材を作動させる作動部材と、複数の継手を有し摺動部材の他端に連結された関節部と、一方の筒状体４を他方の筒状体２に向かって付勢する弾性部材とで構成した。また、使用時には、弾性部材の付勢力により二つの筒状体２，４を強固に連結するとともに、使用後は、作動部材を押圧して被係止部材に対する係止部材の係止を解除し、弾性部材の付勢力に抗して一方の筒状体４を他方の筒状体２から離れる方向に引っ張ることで、二つの筒状体２，４を折り畳むことができるようにした。【選択図】図９
2011043284.tif 000002
【特許請求の範囲】
【請求項１】
少なくとも第１及び第２の筒状体を有する折り畳み式携帯棒であって、
前記第１の筒状体の内部に摺動自在に収容された第１の摺動軸と、前記第１及び第２の筒状体を一体的に連結するための第１及び第２の連結部材と、前記第１の摺動軸の一端に取り付けられた第１の係止部材と、前記第１の筒状体の内部に固定され前記第１の係止部材を保持するための第１の被係止部材と、前記第１の筒状体の内部に摺動自在に収容され前記第１の係止部材を作動させる第１の作動部材と、複数の継手を有し該複数の継手の一部が前記第１及び第２の連結部材の内部に収容されるとともに前記第１の摺動部材の他端に連結された第１の関節部と、前記第２の筒状体を前記第１の筒状体に向かって付勢する第１の弾性部材と、を備え、
前記第１の筒状体に対し折り畳まれた前記第２の筒状体を前記第１の筒状体の略延長線上に配置すると、前記第１の弾性部材の付勢力により前記第１及び第２の連結部材を介して前記第１及び第２の筒状体は一体的に連結されるとともに、前記第２の筒状体に前記第１の筒状体から離れる方向の力が作用すると、前記第１の係止部材が前記第１の被係止部材に係止される一方、前記第１の作動部材を押圧することにより前記第１の被係止部材に対する前記第１の係止部材の係止を解除し、前記第１の弾性部材の付勢力に抗して前記第２の筒状体を前記第１の筒状体から離れる方向に引っ張ることで、前記第１の関節部を介して前記第２の筒状体を前記第１の筒状体に対し折り畳むようにしたことを特徴とする折り畳み式携帯棒。
【請求項２】
前記第１及び第２の筒状体が同一の直径を有することを特徴とする請求項１に記載の折り畳み式携帯棒。
【請求項３】
前記第１の作動部材に取り付けられた第１の押圧部材を前記第１の筒状体の一端に取り付け、前記第２の筒状体の折り畳みに際し、前記第１の押圧部材で前記第１の作動部材を押圧して前記第１の被係止部材に対する前記第１の係止部材の係止を解除することを特徴とする請求項１あるいは２に記載の折り畳み式携帯棒。
【請求項４】
前記第１の押圧部材が光源とスイッチを内蔵し、前記第１及び第２の筒状体を一体的に連結すると、前記第１の作動部材により前記スイッチを押圧して前記光源を点灯させる一方、前記第２の筒状体を折り畳むと前記第１の作動部材による前記スイッチの押圧が解除され前記光源が消灯することを特徴とする請求項３に記載の折り畳み式携帯棒。
【請求項５】
前記複数の継手を同じ断面形状を有する第１、第２、第３の継手で構成し、前記第１の継手を前記第１の摺動軸の他端に取り付ける一方、前記第３の継手を前記第２の筒状体に固定し、前記第２の継手を前記第１の継手と前記第３の継手に枢着し、前記第１及び第２の連結部材が前記第１乃至第３の継手の断面形状より僅かに大きい形状の開口部をそれぞれ有し、前記第１及び第２の筒状体の連結時は、前記第３の継手が前記第１の連結部材の前記開口部と前記第２の連結部材の前記開口部に収容される一方、前記第２の筒状体の折り畳み時は、前記第１の継手が前記前記第１の連結部材の前記開口部に収容され、前記第２の継手は露出することを特徴とする請求項１乃至４のいずれか１項に記載の折り畳み式携帯棒。
【請求項６】
第３の筒状体と、該第３の筒状体の内部に摺動自在に収容された第２の摺動軸と、前記第２及び第３の筒状体を一体的に連結するための第３及び第４の連結部材と、前記第２の摺動軸の一端に取り付けられた第２の係止部材と、前記第３の筒状体の内部に固定され前記第２の係止部材を保持するための第２の被係止部材と、前記第３の筒状体の内部に摺動自在に収容され前記第２の係止部材を作動させる第２の作動部材と、複数の継手を有し該複数の継手の一部が前記第３及び第４の連結部材の内部に収容されるとともに前記第２の摺動部材の他端に連結された第２の関節部と、前記第２の筒状体を前記第３の筒状体に向かって付勢する第２の弾性部材と、を備え、
前記第２の筒状体に対し折り畳まれた前記第３の筒状体を前記第２の筒状体の略延長線上に配置すると、前記第２の弾性部材の付勢力により前記第３及び第４の連結部材を介して前記第２及び第３の筒状体は一体的に連結されるとともに、前記第３の筒状体に前記第２の筒状体から離れる方向の力が作用すると、前記第２の係止部材が前記第２の被係止部材に係止される一方、前記第２の作動部材を押圧することにより前記第２の被係止部材に対する前記第２の係止部材の係止を解除し、前記第２の弾性部材の付勢力に抗して前記第３の筒状体を前記第２の筒状体から離れる方向に引っ張ることで、前記第２の関節部を介して前記第３の筒状体を前記第２の筒状体に対し折り畳むようにしたことを特徴とする請求項１乃至５のいずれか１項に記載の折り畳み式携帯棒。
【請求項７】
前記第３の筒状体が前記第１及び第２の筒状体と同一の直径を有することを特徴とする請求項６に記載の折り畳み式携帯棒。
【請求項８】
前記第２の作動部材に取り付けられた第２の押圧部材を前記第３の筒状体の一端に取り付け、前記第３の筒状体の折り畳みに際し、前記第２の押圧部材で前記第２の作動部材を押圧して前記第２の被係止部材に対する前記第２の係止部材の係止を解除することを特徴とする請求項６あるいは７に記載の折り畳み式携帯棒。
【請求項９】
前記第１の筒状体に取り付けられた鍔をさらに備えたことを特徴とする請求項１乃至８のいずれか１項に記載の折り畳み式携帯棒。
【請求項１０】
前記鍔が、前記第１の筒状体に固定された固定鍔と、前記第１の筒状体に回動自在に取り付けられた回転鍔を有することを特徴とする請求項９に記載の折り畳み式携帯棒。
【請求項１１】
前記固定鍔が筒状体保持凹部を有するとともに、前記回転鍔が筒状体保持凹部と係止凸部を有し、前記第２の筒状体の折り畳み時、前記第２の筒状体を前記固定鍔の前記筒状体保持凹部と前記回転鍔の前記筒状体保持凹部に収容するとともに、前記係止凸部で前記第２の筒状体を係止することを特徴とする請求項１０に記載の折り畳み式携帯棒。
【請求項１２】
前記固定鍔が回転鍔保持部材を有するとともに、前記回転鍔が小径凹部と大径凹部とを有し、前記第２の筒状体の折り畳み時、前記回転鍔保持部材の一部を前記小径凹部に嵌入させる一方、前記第１及び第２の筒状体の連結時、前記回転鍔保持部材の前記一部を前記大径凹部に嵌入させることを特徴とする請求項１１に記載の折り畳み式携帯棒。
【発明の詳細な説明】
【技術分野】
【０００１】
本発明は、警察官や警備員の警棒として、あるいは一般人の護身用として使用することができる携帯に便利な折り畳み式携帯棒に関する。
【背景技術】
【０００２】
警察官や警備員は護身用あるいは攻撃用の道具として警棒を所持しているが、最近では警棒に類似した携帯棒を護身用の道具として携帯している一般人も徐々に増加している。
【０００３】
この種の携帯棒として警棒あるいは六尺棒を使用することも考えられるが、警棒は短くて防衛性が低いのに対し、六尺棒は長すぎて持ち運びに不便であることから、最近では携帯あるいは保管に便利な伸縮式警棒も提案されている（例えば、特許文献１あるいは２参照。）。
【先行技術文献】
【特許文献】
【０００４】
【特許文献１】特開平７−４８９３号公報
【特許文献２】特開平９−２２２２９５号公報
【発明の概要】
【発明が解決しようとする課題】
【０００５】
特許文献１あるいは２に記載の伸縮式警棒はワンタッチで伸縮できる点において便利ではあるが、複数の筒状体の直径がそれぞれ異なり、複数の筒状体を伸長すると筒状体間に段差が生じることから、この段差部に触れると違和感がある。また、先端の筒状体ほど直径が小さく強度が弱いという問題もある。
【０００６】
本発明は、従来技術の有するこのような問題点に鑑みてなされたものであり、ワンタッチで瞬時にして伸長することができ、伸長した場合に段差のない強度の高い折り畳み式携帯棒を提供することを目的としている。
【課題を解決するための手段】
【０００７】
上記目的を達成するために、本発明のうちで請求項１に係る発明は、少なくとも第１及び第２の筒状体を有する折り畳み式携帯棒であって、前記第１の筒状体の内部に摺動自在に収容された第１の摺動軸と、前記第１及び第２の筒状体を一体的に連結するための第１及び第２の連結部材と、前記第１の摺動軸の一端に取り付けられた第１の係止部材と、前記第１の筒状体の内部に固定され前記第１の係止部材を保持するための第１の被係止部材と、前記第１の筒状体の内部に摺動自在に収容され前記第１の係止部材を作動させる第１の作動部材と、複数の継手を有し該複数の継手の一部が前記第１及び第２の連結部材の内部に収容されるとともに前記第１の摺動部材の他端に連結された第１の関節部と、前記第２の筒状体を前記第１の筒状体に向かって付勢する第１の弾性部材と、を備え、前記第１の筒状体に対し折り畳まれた前記第２の筒状体を前記第１の筒状体の略延長線上に配置すると、前記第１の弾性部材の付勢力により前記第１及び第２の連結部材を介して前記第１及び第２の筒状体は一体的に連結されるとともに、前記第２の筒状体に前記第１の筒状体から離れる方向の力が作用すると、前記第１の係止部材が前記第１の被係止部材に係止される一方、前記第１の作動部材を押圧することにより前記第１の被係止部材に対する前記第１の係止部材の係止を解除し、前記第１の弾性部材の付勢力に抗して前記第２の筒状体を前記第１の筒状体から離れる方向に引っ張ることで、前記第１の関節部を介して前記第２の筒状体を前記第１の筒状体に対し折り畳むようにしたことを特徴とする。
【０００８】
また、請求項２に係る発明は、前記第１及び第２の筒状体が同一の直径を有することを特徴とする。
【０００９】
さらに、請求項３に係る発明は、前記第１の作動部材に取り付けられた第１の押圧部材を前記第１の筒状体の一端に取り付け、前記第２の筒状体の折り畳みに際し、前記第１の押圧部材で前記第１の作動部材を押圧して前記第１の被係止部材に対する前記第１の係止部材の係止を解除することを特徴とする。
【００１０】
また、請求項４に係る発明は、前記第１の押圧部材が光源とスイッチを内蔵し、前記第１及び第２の筒状体を一体的に連結すると、前記第１の作動部材により前記スイッチを押圧して前記光源を点灯させる一方、前記第２の筒状体を折り畳むと前記第１の作動部材による前記スイッチの押圧が解除され前記光源が消灯することを特徴とする。
【００１１】
また、請求項５に係る発明は、前記複数の継手を同じ断面形状を有する第１、第２、第３の継手で構成し、前記第１の継手を前記第１の摺動軸の他端に取り付ける一方、前記第３の継手を前記第２の筒状体に固定し、前記第２の継手を前記第１の継手と前記第３の継手に枢着し、前記第１及び第２の連結部材が前記第１乃至第３の継手の断面形状より僅かに大きい形状の開口部をそれぞれ有し、前記第１及び第２の筒状体の連結時は、前記第３の継手が前記第１の連結部材の前記開口部と前記第２の連結部材の前記開口部に収容される一方、前記第２の筒状体の折り畳み時は、前記第１の継手が前記前記第１の連結部材の前記開口部に収容され、前記第２の継手は露出することを特徴とする。
【００１２】
また、請求項６に係る発明は、第３の筒状体と、該第３の筒状体の内部に摺動自在に収容された第２の摺動軸と、前記第２及び第３の筒状体を一体的に連結するための第３及び第４の連結部材と、前記第２の摺動軸の一端に取り付けられた第２の係止部材と、前記第３の筒状体の内部に固定され前記第２の係止部材を保持するための第２の被係止部材と、前記第３の筒状体の内部に摺動自在に収容され前記第２の係止部材を作動させる第２の作動部材と、複数の継手を有し該複数の継手の一部が前記第３及び第４の連結部材の内部に収容されるとともに前記第２の摺動部材の他端に連結された第２の関節部と、前記第２の筒状体を前記第３の筒状体に向かって付勢する第２の弾性部材と、を備え、前記第２の筒状体に対し折り畳まれた前記第３の筒状体を前記第２の筒状体の略延長線上に配置すると、前記第２の弾性部材の付勢力により前記第３及び第４の連結部材を介して前記第２及び第３の筒状体は一体的に連結されるとともに、前記第３の筒状体に前記第２の筒状体から離れる方向の力が作用すると、前記第２の係止部材が前記第２の被係止部材に係止される一方、前記第２の作動部材を押圧することにより前記第２の被係止部材に対する前記第２の係止部材の係止を解除し、前記第２の弾性部材の付勢力に抗して前記第３の筒状体を前記第２の筒状体から離れる方向に引っ張ることで、前記第２の関節部を介して前記第３の筒状体を前記第２の筒状体に対し折り畳むようにしたことを特徴とする。
【００１３】
また、請求項７に係る発明は、前記第３の筒状体が前記第１及び第２の筒状体と同一の直径を有することを特徴とする。
【００１４】
また、請求項８に係る発明は、前記第２の作動部材に取り付けられた第２の押圧部材を前記第３の筒状体の一端に取り付け、前記第３の筒状体の折り畳みに際し、前記第２の押圧部材で前記第２の作動部材を押圧して前記第２の被係止部材に対する前記第２の係止部材の係止を解除することを特徴とする。
【００１５】
また、請求項９に係る発明は、前記第１の筒状体に取り付けられた鍔をさらに備えたことを特徴とする。
【００１６】
また、請求項１０に係る発明は、前記鍔が、前記第１の筒状体に固定された固定鍔と、前記第１の筒状体に回動自在に取り付けられた回転鍔を有することを特徴とする。
【００１７】
また、請求項１１に係る発明は、前記固定鍔が筒状体保持凹部を有するとともに、前記回転鍔が筒状体保持凹部と係止凸部を有し、前記第２の筒状体の折り畳み時、前記第２の筒状体を前記固定鍔の前記筒状体保持凹部と前記回転鍔の前記筒状体保持凹部に収容するとともに、前記係止凸部で前記第２の筒状体を係止することを特徴とする。
【００１８】
また、請求項１２に係る発明は、前記固定鍔が回転鍔保持部材を有するとともに、前記回転鍔が小径凹部と大径凹部とを有し、前記第２の筒状体の折り畳み時、前記回転鍔保持部材の一部を前記小径凹部に嵌入させる一方、前記第１及び第２の筒状体の連結時、前記回転鍔保持部材の前記一部を前記大径凹部に嵌入させることを特徴とする。
【発明の効果】
【００１９】
本発明に係る折り畳み式携帯棒は、複数の筒状体と、隣接する筒状体を一体的に連結する連結部材とを備え、非使用時には複数の筒状体と連結部材の連結を解除して折り畳み可能とし、使用時には、折り畳まれた複数の筒状体を略一直線状にするだけの操作で、弾性部材の付勢力により複数の筒状体が連結部材を介して連結され固定され、ワンタッチで瞬時にして複数の筒状体を伸長することができるので、強度の高い折り畳み式携帯棒を提供することができる。
【００２０】
また、複数の筒状体が同一の直径を有しているので、伸長時における複数の筒状体間の連結部に段差がなく、連結部に触れても違和感がない。
【００２１】
さらに、被係止部材に対する係止部材の係止を解除して複数の筒状体の連結を解除する押圧部材に、折り畳み時には消灯し、使用時には点灯する光源を設けたので、暗闇でも使用することができ、相手の目を眩まして攻撃することもできる。
【００２２】
また、手で把持する筒状体に鍔を取り付けると、把持した手を鍔で保護することができる。
【図面の簡単な説明】
【００２３】
【図１】本発明の第１の実施形態に係る折り畳み式携帯棒を示しており、（ａ）は２本の筒状体を伸長した状態を、（ｂ）は２本の筒状体を折り畳んだ状態をそれぞれ示している。
【図２】（ａ）は使用時の携帯棒を示しており、（ｂ）は（ａ）におけるＣ部の断面図で、（ｃ）は（ａ）におけるＤ部の断面図で、（ｄ）は（ａ）におけるＥ部の断面図である。
【図３】図２（ａ）におけるＣ部の分解斜視図である。
【図４】図２（ａ）におけるＤ部の分解斜視図である。
【図５】携帯棒に取り付けられた固定鍔を示しており、（ａ）はその正面図で、（ｂ）はその部分断面側面図である。
【図６】携帯棒に取り付けられた回転鍔を示しており、（ａ）はその正面図で、（ｂ）はその部分断面側面図である。
【図７】固定鍔と回転鍔からなる鍔を示しており、（ａ）は非使用時（折り畳み時）の鍔の斜視図で、（ｂ）は（ａ）の要部断面図で、（ｃ）は使用時の鍔の斜視図で、（ｄ）は（ｃ）の要部断面図である。
【図８】（ａ）は２本の筒状体の折り畳み時の関節部の断面図であり、（ｂ）は関節部を構成する第１の継手の断面図である。
【図９】携帯棒を使用後、折り畳むときの動作を示す携帯棒の正面図である。
【図１０】携帯棒の折り畳み時の第１の筒状体の動作を示す断面図である。
【図１１】本発明の第２の実施形態に係る折り畳み式携帯棒を示しており、（ａ）は３本の筒状体を伸長した状態を、（ｂ）は３本の筒状体を折り畳んでいる途中の状態を、（ｃ）は３本の筒状体を折り畳んだ状態をそれぞれ示している。
【図１２】３本の筒状体を折り畳んだ状態を示す斜視図である。
【図１３】（ａ）は使用時の携帯棒を示しており、（ｂ）（ｃ）（ｄ）は（ａ）におけるＦ部の断面図で、携帯棒を使用後、折り畳むときの第３の筒状体の動作を示している。
【発明を実施するための形態】
【００２４】
以下、本発明の実施の形態について、図面を参照しながら説明する。
実施の形態１．
図１は、本発明の第１の実施形態に係る折り畳み式携帯棒Ｂを示しており、直径が同一で略円筒状の２本の筒状体２，４により構成されている。また、図１（ａ）は２本の筒状体２，４を伸長した状態を、図１（ｂ）は図１（ａ）の状態から筒状体２，４を折り畳んだ状態をそれぞれ示している。
【００２５】
図１（ｂ）に示されるように、第１の筒状体２は第２の筒状体４より長く設定されており、携帯棒Ｂを折り畳むと、第２の筒状体４の先端部は、第１の筒状体２に設けられた鍔７０で保持されるが、２本の筒状体２，４の伸ばし方や折り畳み方については後述する。また、本実施の形態において「右」あるいは「左」という用語を使用しているが、これらの用語は、携帯棒Ｂを図１（ａ）のように伸長して水平に配置した場合に適用している。
【００２６】
図２乃至図４は、携帯棒Ｂを把持する基筒である第１の筒状体２と、第１の筒状体２に隣接配置される第２の筒状体４の要部を示しており、図２（ｂ）及び図３は図２（ａ）のＣ部を、図２（ｃ）及び図４は図２（ａ）のＤ部を、図２（ｄ）は図２（ａ）のＥ部をそれぞれ示している。
【００２７】
図２（ｂ）及び図３に示されるように、第１の筒状体２の右端部には、ＬＥＤキーライト６を内蔵したライトソケット８が摺動自在に挿入されている。ＬＥＤキーライト６は、本体の内部に光源となるＬＥＤ、電池等を内蔵し、例えば"LED LENSER"（販売元：株式会社サンジェルマン）等の商品名で販売されている市販品なので、その説明は省略する。
【００２８】
ＬＥＤキーライト６は、その光源１０がライトソケット８の右端部に設けられ、スイッチ１２がライトソケット８の左端部近傍に設けられており、スイッチ１２を押圧することで、点灯と消灯を繰り返す。また、ライトソケット８は、右端部の外径が第１の筒状体２の外径と等しく設定され、光源１０と対向する右端面には透明窓１４が形成されている。さらに、スイッチ１２の左側にはスイッチ押圧部材１６が摺動自在に取り付けられており、スイッチ押圧部材１６とＬＥＤキーライト６との間には、スイッチ押圧部材１６を左方向に付勢するコイルばね１８が設けられている。
【００２９】
ライトソケット８の左端部には、軸方向中心部を貫通する雌ねじが形成された端部部材２０が接合されており、端部部材２０の雌ねじに、ストッパばね作動部材２２に取り付けられた雄ねじ２４が螺合している。
【００３０】
ストッパばね作動部材２２は、第１の筒状体２の内面に固定された作動部材保持リング２６に摺動自在に取り付けられており、作動部材保持リング２６の中心部には正方形あるいは矩形の開口部２６ａが形成されている。
【００３１】
ストッパばね作動部材２２は、作動部材保持リング２６の開口部２６ａの形状より僅かに小さい断面形状を有する摺動部２２ａと、摺動部２２ａの左端部に固定された略円筒状の作動部２２ｂを有し、摺動部２２ａは作動部材保持リング２６の開口部２６ａに遊挿されるとともに、雄ねじ２４は摺動部２２ａに固定され、摺動部２２ａの右端面より右方向に延びている。
【００３２】
作動部材保持リング２６の左側の第１の筒状体２の内面には、円形開口部２８ａを有する止め輪２８が固定されており、作動部材保持リング２６と止め輪２８との間隔は、ストッパばね作動部材２２の作動部２２ｂの軸方向長さより長く設定されている。
【００３３】
また、止め輪２８の左側における第１の筒状体２の内部には、摺動軸３０が第１の筒状体２の軸方向中心線に沿って摺動自在に収容されており、摺動軸３０の右端部にはスライダ３２が取り付けられている。スライダ３２は、その右側及び左側に大径部３２ａ及び小径部３２ｂをそれぞれ有し、軸方向中心線に沿って大径孔３２ｃと小径孔３２ｄが形成されている。小径孔３２ｄは小径部３２ｂの左端部側に形成され、大径孔３２ｃは小径孔３２ｄに連通して小径孔３２ｄの右側に形成されている。
【００３４】
スライダ３２の内部には大径部３４ａと小径部３４ｂを有する止め軸３４が収容されており、止め軸３４の大径部３４ａの外径は、スライダ３２の小径孔３２ｄの内径より大きく、スライダ３２の大径孔３２ｃの内径より僅かに小さく設定され、止め軸３４はその大径部３４ａ側からスライダ３２の大径孔３２ｃに挿入されている。
【００３５】
止め軸３４には二つのねじりコイルばね３６，３８が取り付けられており、各ねじりコイルばね３６，３８は異なる長さの二つの腕３６ａ，３６ｂあるいは３８ａ，３８ｂを有し、二つの腕３６ａ，３６ｂあるいは３８ａ，３８ｂの先端部は内側に向かって折曲されている。また、ねじりコイルばね３６，３８の一方の腕３６ａ，３８ａの長さは等しく設定されているのに対し、他方の腕３６ｂ，３８ｂは異なる長さに設定されている。
【００３６】
止め軸３４の小径部３４ｂには、その軸方向中心線に直交する二つのばね腕挿入孔（図示せず）が所定の間隔（ばね腕３６ｂ，３８ｂの長さの差に相当）で形成されており、これら二つのばね腕挿入孔にねじりコイルばね３６，３８の腕３６ｂ，３８ｂの先端部（折曲部）がそれぞれ挿入され、別の二つの腕３６ａ，３８ａが１８０度反対側に位置した状態で（図３参照）、止め軸３４はスライダ３２の内部に保持されている。すなわち、スライダ３２の大径孔３２ｃとこの大径孔３２ｃ内に位置する止め軸３４の小径部３４ｂとの間の間隔は、ねじりコイルばね３６，３８の線径より僅かに大きく設定されており、止め軸３４がスライダ３２の内部に保持された状態では、ねじりコイルばね３６，３８の腕３６ｂ，３８ｂは、止め軸３４の長手方向の中心線に略平行に延在している。
【００３７】
また、二つのねじりコイルばね３６，３８の最大幅（腕３６ａの折曲部から腕３８ａの折曲部までの長さ）は、止め輪２８の円形開口部２８ａの内径より大きく設定されている。
【００３８】
さらに、摺動軸３０の右端部は、スライダ３２の小径孔３２ｄに挿入されて止め軸３４の大径部３４ａに螺着されており、摺動軸３０の左端部は、関節部（関節リンク機構）を構成する三つの継手（リンク）の一つに螺着されている。
【００３９】
図２（ｃ）及び図４に示されるように、関節部は、第１の筒状体２と第２の筒状体４の折り畳み部に位置しており、摺動軸３０の左端部が螺着された第１の継手４０と、第１の継手４０の左端部に枢着された第２の継手４２と、第２の継手４２の左端部に枢着された第３の継手４４で構成されている。第１、第２及び第３の継手４０，４２，４４はいずれも長手方向に直交する方向の断面形状が同一で略正方形を呈している。
【００４０】
また、第１の筒状体２の左端部には第１のカプラ４６が接合され、第２の筒状体４の右端部には第２のカプラ４８が接合されており、第１及び第２のカプラ４６，４８は連結部材として作用する。
【００４１】
第１のカプラ４６は第１及び第２の筒状体２，４の外径と同じ外径の大径部４６ａを有し、大径部４６ａの右側には中間径部４６ｂと小径部４６ｃが形成され、大径部４６ａの左側には小径部４６ｄが形成されている。また、大径部４６ａと中間径部４６ｂと小径部４６ｃには、第１のカプラ４６の軸方向中心線に沿って、第１の継手４０の断面形状における対角距離より僅かに長い内径の開口部４６ｅが形成されており、小径部４６ｄには、第１の継手４０の断面形状より僅かに大きい形状の開口部４６ｆが形成されている。
【００４２】
一方、第２のカプラ４８は第１及び第２の筒状体２，４の外径と同じ外径の大径部４８ａを有し、大径部４８ａの左側には中間径部４８ｂと小径部４８ｃが形成されている。また、大径部４８ａ側には、第２のカプラ４８の軸方向中心線に沿って、第１のカプラ４６の小径部４６ｄの外径より僅かに大きい内径の開口部４８ｄが形成されており、小径部４８ｃ側には、第３の継手４４の断面形状より僅かに大きい形状の開口部４８ｅが形成され、第２のカプラ４８の内部に第３の継手４４が収容されている。
【００４３】
また、第３の継手４４の左端部にはねじ５０の右端部が螺着されており、このねじ５０にはナット５２が第２のカプラ４８に当接するまで螺着され、ねじ５０の左端部は、第２の筒状体４の内部に固定されたストッパリング５４に螺着されている。
【００４４】
さらに、図２（ｄ）に示されるように、第２の筒状体４の左端部には、端部部材５６が接合されている。
【００４５】
また、第１の筒状体２の内部における摺動軸３０の周囲には弾性部材としての圧縮コイルばね５８が設けられており、圧縮コイルばね５８の右端部がスライダ３２の大径部３２ａの左端面に当接し、圧縮コイルばね５８の左端部が第１のカプラ４６の右端面に当接していることで、第２の筒状体４を第１の筒状体２に向かって常時付勢している。
【００４６】
なお、第１の筒状体２の内部には複数の内筒６０，６２，６４が設けられ、第２の筒状体４の内部にも同様に複数の内筒６６，６８が設けられているが、これらの内筒は、作動部材保持リング２６、止め輪２８、ストッパリング５４を位置決めするためのものであり、内筒を設けることなくこれらの部材を第１あるいは第２の筒状体２，４の所定の位置に固定することもできる（例えば、レーザー溶接等）。
【００４７】
また、図１に示されるように、第１の筒状体２の長手方向中間部と右端部との間の外周面には鍔７０が取り付けられており、鍔７０は、第１の筒状体２の外周面に接合された固定鍔７２と、固定鍔７２の左側に設けられ固定鍔７２に対し回動自在の回転鍔７４とを有している。さらに、回転鍔７２の左側の第１の筒状体２の外周面には鍔止め７６が接合されている。
【００４８】
図５に示されるように、固定鍔７２の中心部には、第１の筒状体２が挿入される円孔７２ａが形成されており、固定鍔７２は、円孔７２ａの両側で互いに平行に延びる二つの直線状縁部７２ｂ，７２ｃと、これら二つの直線状縁部７２ｂ，７２ｃの端部に連なる二つの円弧状縁部７２ｄ，７２ｅを有している。また、円孔７２ａの中心と直線状縁部７２ｂまでの距離は、円孔７２ａの中心と直線状縁部７２ｃまでの距離より小さく設定されているのに対し、二つの円弧状縁部７２ｄ，７２ｅの曲率半径は等しく設定されている。さらに、二つの円弧状縁部７２ｄ，７２ｅのうち、一方の円弧状縁部７２ｄ近傍には、筒状体保持凹部７２ｆが形成されており、円孔７２ａの近傍には、回転鍔保持部材７８が取り付けられている。
【００４９】
回転鍔保持部材７８は、ねじ部の本体にコイルばねを内蔵し、コイルばねによりボールあるいはピンをその突出方向に付勢するもので、例えば「ボールプランジャー」（株式会社イマオコーポレーション製ＢＳＴ５）等の商品名で販売されている市販品なので、その説明は省略する。
【００５０】
一方、図６に示されるように、回転鍔７４も固定鍔７２と略同じ形状を呈しており、回転鍔７４の中心部には、第１の筒状体２が挿入される円孔７４ａが形成され、回転鍔７４は、円孔７４ａの両側で互いに平行に延びる二つの直線状縁部７４ｂ，７４ｃと、これら二つの直線状縁部７４ｂ，７４ｃの端部に連なる二つの円弧状縁部７４ｄ，７４ｅを有している。また、円孔７４ａの中心と直線状縁部７４ｂまでの距離は、円孔７４ａの中心と直線状縁部７４ｃまでの距離より小さく設定されているのに対し、二つの円弧状縁部７４ｄ，７４ｅの曲率半径は等しく設定されている。さらに、直線状縁部７４ｂと円弧状縁部７４ｄとが交わる部分に筒状体保持凹部７４ｆが形成されている。
【００５１】
しかしながら、固定鍔７２の筒状体保持凹部７２ｆと回転鍔７４の筒状体保持凹部７４ｆの形状は異なっており、固定鍔７２の筒状体保持凹部７２ｆは、円弧状縁部７２ｄ側が開口しているのに対し、回転鍔７４の筒状体保持凹部７４ｆは直線状縁部７４ｂ側に開口しており、円弧状縁部７４ｄには、折り畳み時の第２の筒状体４を係止するための係止凸部７４ｇが形成されている。
【００５２】
また、回転鍔７４における固定鍔７２との対向面には、固定鍔７２の回転鍔保持部材７８に対応する位置に、回転鍔保持部材７８のボールあるいはピンの先端部と相補形状の小径凹部７４ｈが形成されており、円孔７４ａに対し小径凹部７４ｈの１８０度反対側には、同様に回転鍔保持部材７８のボールあるいはピンの先端部と相補形状の大径凹部７４ｉが形成されている。
【００５３】
上記構成の本発明に係る携帯棒Ｂの作用を図１と図７乃至図１０を参照しながら説明する。
【００５４】
携帯棒Ｂを使用しない場合には、図１（ｂ）に示されるように、携帯棒Ｂは折り畳まれており、第２の筒状体４を鍔７０で保持することにより容易に持ち運ぶことができる。
【００５５】
すなわち、図７（ａ）に示されるように、第２の筒状体４の先端部を、固定鍔７２の筒状体保持凹部７２ｆと回転鍔７４の筒状体保持凹部７４ｆに収容すると、回転鍔７４の係止凸部７４ｇで第２の筒状体４が係止される。このとき、図７（ｂ）に示されるように、固定鍔７２に取り付けられた回転鍔保持部材７８のボールあるいはピンが回転鍔７４の小径凹部７４ｈに嵌入するので、回転鍔７４は固定鍔７２に対し両者の輪郭が重なった状態で保持される。
【００５６】
ここで、固定鍔７２の円孔７２ａと筒状体保持凹部７２ｆの最近接位置の間隔と回転鍔７４の円孔７４ａと筒状体保持凹部７４ｆの最近接位置の間隔は等しく（間隔Ｌ、図５及び図６参照）、折り畳み時に外部に露出し第１及び第２の筒状体２，４を所定の間隔に保持する第２の継手４２の両端枢着部（ピン）の中心間距離と第１及び第２の筒状体２，４の外径との差も間隔Ｌに等しく設定されていることから（図８（ａ）参照）、第２の筒状体４が鍔７０に保持された状態では、第１の筒状体２と第２の筒状体４は平行に延在する。
【００５７】
また、この状態では、摺動軸３０の右端部に取り付けられたねじりコイルばね３６，３８は、図１０（ｄ）に示されるように、止め輪２８の左側に位置しており、関節部は、図８（ａ）に示されるように、第１の継手４０が第１のカプラ４６の内部に収容されて、第２のカプラ４８の内部に収容された第３の継手４４と平行に延在し、第２の継手４２は第１及び第２の筒状体２，４から露出して第１及び第３の継手４０，４４と直交する方向に延在している。
【００５８】
携帯棒Ｂを使用する場合には、回転鍔７４に対する回転鍔保持部材７８の保持力に抗して回転鍔７４を矢印Ａ方向に所定の角度（回転鍔７４の係止凸部７４ｇが固定鍔７２の筒状体保持凹部７２ｆと重ならない角度）回転すると、回転鍔７４の係止凸部７４ｇによる第２の筒状体４の係止が解除される。
【００５９】
さらに、回転鍔７４を非使用時の位置から１８０度回転させると、回転鍔保持部材７８のボールあるいはピンは小径凹部７４ｈから離脱した後、大径凹部７４ｉに嵌入する。大径凹部７４ｉは小径凹部７４ｈより深く設定されているので、携帯棒Ｂの非使用時における回転鍔７４の保持力より大きな保持力で回転鍔７４は固定鍔７２に保持される。
【００６０】
すなわち、携帯棒Ｂを使用する緊急時には、軽い力で回転鍔７４を使用時の位置まで回転できるのに対し、携帯棒Ｂの使用中には、回転鍔７４はより大きい力で使用時の位置に保持されるので、携帯棒Ｂの使用時に、回転鍔７４が回転するおそれはない。
【００６１】
この状態で、第２の筒状体４を固定鍔７２の筒状体保持凹部７２ｆから離脱させ、図８（ａ）に示されるように、第１の継手４０と第２の継手４２の枢着部を中心に矢印Ｂ方向に１８０度回転させて第２の筒状体４を第１の筒状体２の略延長線上に配置すると、圧縮コイルばね５８の付勢力により摺動軸３０、関節部（継手４０，４２，４４）等が矢印Ｃ方向に引っ張られる。
【００６２】
その結果、第２の筒状体４が第１の筒状体２に向かって移動し、第１のカプラ４６の小径部４６ｄが第２のカプラ４８の開口部４８ｄに嵌入して第２の筒状体４は第１の筒状体２と一体的に保持される。
【００６３】
すなわち、第２の筒状体４を第１の筒状体２と略一直線にすると、図２（ｃ）に示されるように、圧縮コイルばね５８の付勢力により第１のカプラ４６の小径部４６ｄが第２のカプラ４８の開口部４８ｄに嵌入して第１及び第２のカプラ４６，４８が密着するとともに、左側が第２のカプラ４８の開口部４８ｅに収容された第３の継手４４の右側が第１のカプラ４６の開口部４６ｆに収容されることで、携帯棒Ｂは瞬時に強力な警棒として使用することができる。
【００６４】
この状態では、図１０（ａ）に示されるように、圧縮コイルばね５８の付勢力によりねじりコイルばね３６，３８は止め輪２８の右側に位置し、ねじりコイルばね３６，３８でストッパばね作動部材２２は右方向に押圧されており、その作動部２２ｂの右端面が作動部材保持リング２６の左端面に当接している。
【００６５】
また、図２あるいは図１０（ａ）に示されるように、この状態でねじりコイルばね３６，３８の折曲部が止め輪２８の右端面に近接するように作動部材保持リング２６と止め輪２８との離隔距離が設定されていることから、携帯棒Ｂを警棒として使用時、第２の筒状体４が第１の筒状体２から離れる（外れる）方向の力が作用しても、ねじりコイルばね３６，３８の折曲部が止め輪２８に当接し、第２の筒状体４が第１の筒状体２から外れることはない。すなわち、ねじりコイルばね３６，３８はストッパばねあるいは係止部材として作用し、止め輪２８はねじりコイルばね３６，３８を所定の位置に保持するための被係止部材として作用する。
【００６６】
また、ライトソケットに内蔵されたＬＥＤキーライト６のスイッチ１２は、ストッパばね作動部材２２に取り付けられた雄ねじ２４によりスイッチ押圧部材１６を介して押圧されるので、光源１０は点灯しており、光源１０からの光は透明窓１４から照射される。
【００６７】
この状態で、携帯棒Ｂは使用されるが、第１の筒状体２、第２の筒状体４、カプラ４６，４８等は、ポリカーボネート、カーボン樹脂、炭素繊維等の弾力性や靱性に優れた材料で作製されているので、使用時に壊れることはない。また、これらの材料は金属ほどの強度はなく、携帯棒Ｂで打撃を加えても、打撃を受けた相手が致命傷を被ることもない。
【００６８】
携帯棒Ｂを使用後、折り畳む場合には、図９（ｂ）及び図１０（ｂ）に示されるように、ライトソケット８を反時計方向に回転すると、ライトソケット８は第１の筒状体２から離れる方向に移動するので、ライトソケット８が所定の長さ（ストッパばね作動部材２２の作動部２２ｂの左端面と止め輪２８の右端面との間隔に相当）移動した後、図９（ｃ）及び図１０（ｃ）に示されるように、ライトソケット８を左側に押圧すると、ライトソケット８は元の位置（図９（ａ）及び図１０（ａ）の位置）に戻る。
【００６９】
ここで、略円筒状の作動部２２ｂの内径は、二つのねじりコイルばね３６，３８の最大幅より小さく設定されているので、ライトソケット８が元の位置に戻ると、二つのねじりコイルばね３６，３８の腕３６ａ，３８ａは内方に移動する（幅が小さくなる）。したがって、図９（ｄ）及び図１０（ｄ）に示されるように、圧縮コイルばね５８の付勢力に抗して第２の筒状体４を第１の筒状体２から離れる方向に引っ張ると、ねじりコイルばね３６，３８は止め輪２８の円形開口部２８ａを通過するとともに、携帯棒Ｂの使用時に第１の筒状体２の内部に収容されていた第２の継手４２が、第１の筒状体２の外部に突出することになる。
【００７０】
その結果、図９（ｅ）に示されるように、第２の筒状体４を第１の継手４０と第２の継手４２の枢着部を中心に矢印Ｄ方向に回転させることが可能となるので、回転鍔７４を回転させて固定鍔７２の筒状体保持凹部７２ｆを開放し、第２の筒状体４を携帯棒Ｂの使用時の位置から１８０度回転させると、図９（ｆ）に示されるように折り畳まれる。
【００７１】
この状態で、回転鍔７４をさらに回転させ、第２の筒状体４を係止凸部７４ｇで係止すると、第２の筒状体４は第１の筒状体２と平行に保持される。
【００７２】
なお、図４及び図８（ａ）（ｂ）に示されるように、第１の継手４０には、その長手方向に直交する方向にねじ８０が螺着されており、このねじ８０は、携帯棒Ｂの折り畳み時に第２の筒状体４を第１の筒状体２から離れる方向に引っ張ったときのストッパとして作用し、図８（ａ）の状態で、ねじ８０と第１のカプラ４６の開口部４６ｅの底面までの距離Ｌ１は、第２の継手４２の先端縁（下端縁）から第１のカプラ４６の開口部４６ｆまでの距離Ｌ２より大きく設定されている。
【００７３】
また、図４に示されるように、第１の継手４０の左端部は、第２の継手４２の右端部に形成された凹部４２ａに収容されており、第１の継手４０の左端面と凹部４２ａの底面との間には第１の継手４０に対する第２の継手４２の両方向の回転を許容するスペースが形成されているのに対し、第３の継手４４の右端部は、第２の継手４２の左端部に形成された凹部４２ｂに収容されており、第３の継手４４の右端面と凹部４２ｂの底面との間には僅かなクリアランスしかなく、図４の状態において、第３の継手４４の右端部の上の角部は枢着部（ピン）を中心とする円弧状に形成され、下の角部は略直角を成すように形成されているので（図８（ａ）参照）、第３の継手４４は第２の継手４２に対し矢印Ｄ方向の回転のみ許容されている。
【００７４】
したがって、第２の筒状体４を固定鍔７２の筒状体保持凹部７２ｆの反対側に折り畳むことができない構成となっている。
【００７５】
また、携帯棒Ｂを折り畳んだ状態では、ＬＥＤキーライト６のスイッチ１２は、スイッチ押圧部材１６による押圧が解除されているので、光源１０は消灯している。
【００７６】
なお、ＬＥＤキーライト６は必ずしも必要ではなく、ライトソケット８をストッパばね作動部材２２を押圧するための回転自在の押圧部材として雄ねじ２４に螺着するようにしてもよい。
【００７７】
実施の形態２．
図１１及び図１２は、本発明の第２の実施形態に係る折り畳み式携帯棒Ｂ１を示しており、直径が同一で略円筒状の３本の筒状体８２，８４，８６により構成されている。第２の筒状体８４及び第３の筒状体８６の長さは等しく設定されており、第１の筒状体８２は第２及び第３の筒状体８４，８６より長く設定されている。また、図１１（ａ）は３本の筒状体８２，８４，８６を伸長した状態を、図１１（ｂ）は３本の筒状体８２，８４，８６を折り畳んでいる途中の状態を、図１１（ｃ）及び図１２は３本の筒状体８２，８４，８６を折り畳んだ状態をそれぞれ示している。
【００７８】
この実施の形態における第１の筒状体８２及び第２の筒状体８４の構成は、上述した第１の実施の形態の鍔７０が設けられていない点、第２の筒状体４の左端部（先端部）の構成が異なる点を除けば同一なので、以下、第１の実施の形態と異なる点を主に説明する。
【００７９】
第２の筒状体８４の左端部には、第１の実施の形態の端部部材５６に代えて、第１の実施の形態のストッパリング５４と同一形状のストッパリングが固定されており、第２の筒状体８４と第３の筒状体８６の内部には、第１の実施の形態における雄ねじ２４が取り付けられたストッパばね作動部材２２からねじ５０が螺着されたストッパリング５４に至る各部材を左右逆にした状態で取り付けられている。
【００８０】
図１３は第３の筒状体８６の左端部側を示しており、第３の筒状体８６の内部には、止め輪８８の右側に、スライダ９０、摺動軸９２、圧縮コイルばね９４等が収容されており、二つのねじりコイルばね９６，９８が取り付けられた止め軸（図示せず）はスライダ９０の内部に収容されている。
【００８１】
ねじりコイルばね９６，９８の左側には、ストッパばね作動部材１００が設けられており、ストッパばね作動部材１００には雄ねじ１０２の右端部が螺着されている。また、雄ねじ１０２の左端部は押圧部材１０４の右端部に螺着され、押圧部材１０４は、第３の筒状体８６の左端部に接合された略円筒状の端部部材１０６の内部に摺動自在に取り付けられている。
【００８２】
押圧部材１０４は、雄ねじ１０２が螺着された小径部１０４ａと、小径部１０４ａの左側に形成された大径部１０４ｂを有し、小径部１０４ａと端部部材１０６の内面との間には圧縮コイルばね１０８が取り付けられている。
【００８３】
上記構成の本発明に係る携帯棒Ｂ１の作用を以下説明する。
【００８４】
携帯棒Ｂを使用しない場合には、図１１（ｃ）に示されるように、携帯棒Ｂ１は折り畳まれており、３本の筒状体８２，８４，８６を紐等で束ねることにより容易に持ち運ぶことができる。
【００８５】
この携帯棒Ｂ１には鍔が設けられていないことから、第１の筒状体８２と第２の筒状体８４との間に設けられた関節部を構成する第２の継手１１０の両端枢着部（ピン）の中心間距離は筒状体８２，８４，８６の外径と等しく設定されており、第２の筒状体８４と第３の筒状体８６との間に設けられた関節部を構成する第２の継手１１２の両端枢着部（ピン）の中心間距離も同様に筒状体８２，８４，８６の外径と等しく設定されており、携帯棒Ｂ１を折り畳んだ状態では、図１１（ｃ）及び図１２に示されるように、３本の筒状体８２，８４，８６の各々が隣接する筒状体と密着した状態で互いに平行に延在している。
【００８６】
携帯棒Ｂ１を使用する場合には、第２の筒状体８４を第１の筒状体８２に対し１８０度回転するとともに、第３の筒状体８６を第２の筒状体８４に対し１８０度回転し、３本の筒状体８２，８４，８６が略一直線になると、圧縮コイルばね５８の付勢力により第２の筒状体８４が第１の筒状体８２に向かって引っ張られるとともに、圧縮コイルばね９４の付勢力により第３の筒状体８６が第２の筒状体８４に向かって引っ張られる。
【００８７】
その結果、第１のカプラ４６の小径部４６ｄが第２のカプラ４８の開口部４８ｄに嵌入するとともに、第２の筒状体８４と第３の筒状体８６との間に位置する第１のカプラの小径部（図示せず）が第２のカプラの開口部（図示せず）に嵌入し、３本の筒状体８２，８４，８６は図１１（ａ）及び図１３（ａ）に示される状態に一体的に保持される。
【００８８】
携帯棒Ｂを使用後、折り畳む場合には、図１３（ｃ）に示されるように、圧縮コイルばね１０８の付勢力に抗して押圧部材１０４を押圧すると、ストッパばね作動部材１００を介して二つのねじりコイルばね９６，９８の腕９６ａ，９８ａは内方に移動する（幅が小さくなる）。したがって、圧縮コイルばね９４の付勢力に抗して第３の筒状体８６を第２の筒状体８４から離れる方向に引っ張ると、図１３（ｄ）に示されるように、ねじりコイルばね９６，９８は止め輪８８の円形開口部８８ａを通過するとともに、携帯棒Ｂ１の使用時に第３の筒状体８６の内部に収容されていた第２の継手１１２が、第３の筒状体８６の外部に突出することになる。
【００８９】
その結果、第３の筒状体８６を第２の筒状体８４に対し回転させることが可能となるので、第３の筒状体８６を携帯棒Ｂ１の使用時の位置から１８０度回転させると、図１１（ｃ）に示されるように折り畳まれる。
【００９０】
なお、第１の筒状体８２に対する第２の筒状体８４の折り畳み方は第１の実施の形態で説明したとおりである。
【００９１】
上記第２の実施の形態において、携帯棒Ｂ１は鍔を持たない構成としたが、第１の実施の形態と同様、第１の筒状体８２に鍔を設けることもできる。
【００９２】
また、上記第２の実施の形態において、押圧部材１０４を端部部材１０６の内部に摺動自在に取り付けたが、第１の実施の形態と同様、回転自在の押圧部材として雄ねじ１０２に螺着するようにしてもよい。
【００９３】
また、各筒状体２，４，８２，８４，８６は円筒状に限らず、六角形あるいは八角形等の多角形筒状体を採用することもできる。
【産業上の利用可能性】
【００９４】
本発明に係る携帯棒は、折り畳んだ状態からワンタッチで瞬時にして伸長して各連結部を強固に連結できるので、警察官の警棒や一般人の護身用携帯棒として有用である。
【符号の説明】
【００９５】
２  第１の筒状体、  ４  第２の筒状体、  ６  ＬＥＤキーライト、  
８  ライトソケット、  １０  光源、  １２  スイッチ、  １４  透明窓、  
１６  スイッチ押圧部材、  １８  コイルばね、  ２０  端部部材、  
２２  ストッパばね作動部材、  ２２ａ  摺動部、  ２２ｂ  作動部、  ２４  雄ねじ、
２６  作動部材保持リング、  ２６ａ  開口部、  ２８  止め輪、  
２８ａ  円形開口部、  ３０  摺動軸、  ３２  スライダ、  ３２ａ  大径部、  
３２ｂ  小径部、  ３２ｃ  大径孔、  ３２ｄ  小径孔、  ３４  止め軸、  
３４ａ  大径部、  ３４ｂ  小径部、  ３６，３８  ねじりコイルばね、  
３６ａ，３６ｂ，３８ａ，３８ｂ  腕、  ４０，４２，４４  継手、  
４２ａ，４２ｂ  凹部、  ４６，４８  カプラ、  ４６ａ  大径部、  
４６ｂ  中間径部、  ４６ｃ  小径部、  ４６ｄ  小径部、  ４６ｅ，４６ｆ  開口部、
４８ａ  大径部、  ４８ｂ  中間径部、  ４８ｃ  小径部、  ４８ｄ，４８ｅ  開口部、
５０  ねじ、  ５２  ナット、  ５４  ストッパリング、  ５６  端部部材、  
５８  圧縮コイルばね、  ６０，６２，６４，６６，６８  内筒、  ７０  鍔、  
７２  固定鍔、  ７２ａ  円孔、  ７２ｂ，７２ｃ  直線状縁部、  
７２ｄ，７２ｅ  円弧状縁部、  ７２ｆ  筒状体保持凹部、  ７４  回転鍔、  
７４ａ  円孔、  ７４ｂ，７４ｃ  直線状縁部、  ７４ｄ，７４ｅ  円弧状縁部、  
７４ｆ  筒状体保持凹部、  ７４ｇ  係止凸部、  ７４ｈ  小径凹部、  
７４ｉ  大径凹部、  ７６  鍔止め、  ７８  回転鍔保持部材、  ８０  ねじ、  
８２  第１の筒状体、  ８４  第２の筒状体、  ８６  第３の筒状体、  ８８  止め輪、
８８ａ  円形開口部、  ９０  スライダ、  ９２  摺動軸、  ９４  圧縮コイルばね、
９６，９８  ねじりコイルばね、  ９６ａ，９８ａ  腕、
１００  ストッパばね作動部材、  １０２  雄ねじ、
１０４  押圧部材、  １０４ａ  小径部、  １０４ｂ  大径部、  １０６  端部部材、
１０８  圧縮コイルばね、  １１０，１１２  第２の継手、  Ｂ，Ｂ１  携帯棒。
【図１】
2011043284.tif 000003
【図２】
2011043284.tif 000004
【図３】
2011043284.tif 000005
【図４】
2011043284.tif 000006
【図５】
2011043284.tif 000007
【図６】
2011043284.tif 000008
【図７】
2011043284.tif 000009
【図８】
2011043284.tif 000010
【図９】
2011043284.tif 000011
【図１０】
2011043284.tif 000012
【図１１】
2011043284.tif 000013
【図１２】
2011043284.tif 000014
【図１３】
2011043284.tif 000015